(57)【特許請求の範囲】
【請求項１】
両側に配管連結部を有する収納部と、該収納部内に配管の流れ方向に沿って対向して設置された多数の磁石収納ケ−スと、Ｎ極とＳ極を対向させて前記磁石収納ケ−ス内に固定された永久磁石と、収納部入口に設けられた分水器を有する装置において、
前記永久磁石の一部を他の永久磁石の磁力より強くすると共に、前記永久磁石は対向磁石間の距離が隣接磁石間の距離よりも短くなるように設置されていることを特徴とする異なる特性を有する磁石の組み合わせによる水の磁気化装置。
【発明の詳細な説明】
【０００１】
【発明の属する技術分野】
本発明は、配管内の水に効率よく磁気を作用させることができる水の磁気化装置に関する。
【０００２】
【従来の技術】
水道水はその水源によって微妙に水質が異なるが、最近では取水される水質の悪化と共に味や臭いに問題があり、とみにその改善が求められている。また、水はその分子の集団を形成しており、まずいといわれる水道水は平均的に分子集団が大きく、おいしい天然水はこの分子集団が小さいといわれている。水の分子集団の小さい水は、水の分子の動きが活発化し活性化されていて、おいしいと考えられるのである。また一般に、水道配管や貯水槽内部には錆、スケ−ルが発生することが多く、配管、貯水槽内に錆、スケ−ルが発生した場合には管径を狭め流水効率が悪くなり、配管を弱め、給水管システムの破損につながる恐れがある。そこで水を磁気化処理することにより、水の分子を活性化させ、水をおいしくすると共に、配管内の錆、スケ−ルを溶かして排出する方法が採用されている。
【０００３】
【発明が解決しようとする課題】
ところで、配管内の水の流速が早いときは弱い磁場の中を通過させ、また、水の流速が遅い場合は強い磁場の中を通過させると、水分子の磁気モ−メントと磁界の相互作用により水分子が励起され、その結果、水分子が小さくなって活性化することが知られている。しかしながら、従来では、配管に配置した磁石の磁力が一定であったから、磁力の強さが配管内を流れる水の流速と適合するときは有効に水を磁気化することができたが、そうでないときは有効に水を磁気化することができないという問題があった。
本発明はかかる従来の問題点を解決するためになされたものであって、その目的とするところは、配管に磁力が強い磁石と磁力が弱い磁石を配置することにより配管内の水に強さが異なる磁力線を照射させて水の流速が早くても遅くても効率よくかつ安定的に水を磁気化処理することができる異なる特性を有する磁石の組み合わせによる水の磁気化装置を提供することにある。
【０００４】
【課題を解決するための手段】
前記目的を達成するための手段として、本発明の異なる特性を有する磁石の組み合わせによる水の磁気化装置（以下、「水の磁気化装置」という）では、両側に配管連結部を有する収納部と、該収納部内に配管の流れ方向に沿って対向して設置された多数の磁石収納ケ−スと、Ｎ極とＳ極を対向させて前記磁石収納ケ−ス内に固定された永久磁石と、収納部入口に設けられた分水器を有する装置において、
前記永久磁石の一部を他の永久磁石の磁力より強くすると共に、前記永久磁石は対向磁石間の距離が隣接磁石間の距離よりも短くなるように設置されている構成とした。
【０００５】
本発明の水の磁気化装置においては、収納部内に配管の流れ方向に沿って磁石を対向して配置しているので、収納部内の水の流れを妨げることなく、収納部を流れる水に磁気を直角に効率よく照射することができる。また、分水器を設置しているので、水は収納部内に淀みがなく広がり、水を均一に磁気化することができる。また、前記磁石の一部の磁力を他の磁石より強くなるようにしているので、流速如何に関わらずいつも効率よく磁力線を作用させて磁気化を図ることができる。
【０００６】
又、永久磁石は対向磁石間の距離が隣接磁石間の距離よりも短くなるように設置されているので、収納部内に多数の磁石を規則的に収納できると共に、磁力線は隣接して配置された磁石の磁気に妨げられることなく、対向する磁石間を流れ、効率的に収納部内の水を磁気化することができる。
【０００７】
【実施の形態】
続いて、添付した図面を参照しつつ本発明の実施形態を詳細に説明する。
図１は本発明の一実施例に係る水の磁気化装置の斜視図、図２は同磁気発生部の斜視図、図３は同磁気発生部の部分断面図、図４は同磁石収納ケ−ス（４個型）の分解図、図５は同磁石収納ケ−ス（２個型）の分解図、図６は同磁石収納ケ−ス（４個型）内の永久磁石の配置状態を示す説明図、図７は同磁石収納ケ−ス（２個型）内の永久磁石の配置状態を示す説明図、図８は同分水器の正面図、図９は同分水器の斜視図である。
【０００８】
本実施例に係る水の磁気化装置１は図１〜３に示すように、ステンレス等の非磁性体の鋼材から形成されるフランジを有する角型の収納部２と、該収納部２の水道配管との連結部であって、水道配管連結側フランジ２ａと収納部連結側フランジ２ｂを有する入口側連結部３と、収納部出口部に一体として形成され、水道配管連結側フランジ３ａを有する出口側連結部４と、収納部２内に収納される磁石収納ケ−ス（４個型）６及び磁石収納ケ−ス（２個型）７が連結された磁気発生部８と、入口側連結部に設けられた分水器９と、磁石収納ケ−ス６，７に内蔵される磁性体である永久磁石１１から構成されている。
【０００９】
前記磁気発生部８は、磁石収納ケ−ス（４個型）６及び磁石収納ケ−ス（２個型）７を配管の流れに沿って雄部１２と、次に接合する磁石収納ケ−スの雌部１３を接合して直列に３個連結したものを、ねじ軸１４によって縦に８段連結し、それぞれ縦に８段連結された磁石収納ケ−ス（４個型）６と磁石収納ケ−ス（２個型）７を連結金具１６によって横に連結して構成されている。前記ねじ軸１４は全体に雄ねじが形成されており、磁石収納ケ−ス（４個型）６は雄部１２と雌部１３のそれぞれの接合部の２個の孔１９にねじ軸１４が挿通され、磁石収納ケ−ス（２個型）７は雄部１２と雌部１３に形成された１個の孔２１にねじ軸が挿通され、磁石収納ケ−ス間にそれぞれ筒状のスペ−サ１７を介し、ねじ軸１４の始端部と終端部をナット１８により締結固定し、磁石収納ケ−ス６，７を軸方向に連結している。磁石収納ケ−ス（４個型）６と磁石収納ケ−ス（２個型）７同士の連結については、磁石収納ケ−ス（４個型）６の雄部１２と雌部１３に形成された２個の孔１９のうち、磁石収納ケ−スのそれぞれの連結側の孔と、磁石収納ケ−ス（２個型）７の雄部１２と雌部１３に形成された孔２１に連結金具１６を掛け渡してねじ軸１４と共にナット１８によって固定される。
【００１０】
前記工程によって、磁石収納ケ−ス（４個型）６と磁石収納ケ−ス（２個型）７は縦、横、幅方向にそれぞれ所定幅を保った状態で固定される。尚、磁石収納ケ−ス間にはスペ−サ１７を介して連結されているために磁石収納ケ−ス間の対向距離Ｔは８ｍｍに設定されている。
【００１１】
磁石収納ケ−ス（４個型）６は、図４に示すように、磁石固定外枠２２と、その内部に収納される十字の間仕切りフレ−ム２３と、蓋２４と、該蓋２４を磁石固定外枠２２に固定するビス２６から構成され、４個の永久磁石１１が磁石固定外枠２２と間仕切りフレ−ム２３及び蓋２４の間に固定されて収納されている。前記磁石固定外枠２２は正方形の平板の側周に、磁石幅（１ｃｍ）の立縁部２７を有し、平板中央にビス螺合孔２８が形成され、上部に雄部１２を形成する突出部２９と下部に雌部１３を形成する突出部３０が設けられ、それぞれの突出部にはねじ軸１４挿通用の孔２１が２箇所に形成されてる。前記間仕切りフレ−ム２３は薄板状物をＵ字状に折り曲げて十字に交差させたものであり、該Ｕ字状の折曲幅Ｈは１８ｍｍに形成され、交差部にはビス通過用の孔３１が設けられている。前記蓋２４は正方形の平板の中央にビス挿通用の孔３２を有し、上部に雄部１２を形成する突出部２９と下部に雌部１３を形成する突出部３０が形成され、磁石固定外枠２２と蓋２４がビスによって接合されたときに、４個の永久磁石１１が磁石収納ケ−ス６内に固定されると共に、突出部２９同士、及び突出部３０同士が重なって上部と下部に雄部１２と雌部１３が形成される。
【００１２】
前記磁石収納ケ−ス（２個型）７は図５に示すように、磁石固定外枠３５と、その内部に収納される間仕切りフレ−ム３６と、蓋３７と、該蓋３７を磁石固定外枠３５に固定するビス３８から構成され、２個の永久磁石１１が磁石固定外枠３５と間仕切りフレ−ム３６及び蓋３７の間に固定されて収納されている。前記磁石固定枠３５は長方形の平板の側周に、磁石幅（約１ｃｍ）の立縁部３９を有し、平板中央にビス螺合孔４１が形成され、上部に雄部１２を形成する突出部４２と下部に雌部１３を形成する突出部４３が設けられ、それぞれの突出部４２，４３にはねじ挿通用の孔４４が１個形成されている。前記間仕切りフレ−ム３６は薄板状物をＵ字状に折り曲げたものであり、該Ｕ字状の折曲幅Ｈは１８ｍｍに形成され、交差部にはビス挿通用の孔４６が設けられている。前記蓋３７は、長方形の平板中央にビス挿通用の孔４７を有し、上部に雄部１２を形成する突出部４２と下部に雌部１３を形成する突出部４３が形成され、磁石固定外枠３５と蓋３７がビス３８によって接合されたときに、２個の永久磁石１１が磁石収納ケ−ス７内に固定されると共に突出部４２同士及び突出部４３同士が重なって上部と下部に雄部１２と雌部１３が形成される。
【００１３】
前記永久磁石１１は縦４０ｍｍ，横４０ｍｍ，幅１０ｍｍの直方体で、幅広面の一方がＮ極、反対面がＳ極のものが用いられ、磁石収納ケ−ス（４個型）６に収納される永久磁石１１の配置状態は図６に示すように、永久磁石１１の幅広面の磁極は４個の永久磁石のうち縦、横同士の磁極は違う磁極となっており、斜めに位置する永久磁石同士が同じ極性となっている。また、磁石収納ケ−ス（２個型）７に収納される永久磁石１１の配置状態は図７に示すように、永久磁石１１の幅広面の磁極は一方がＮ極の場合は他方がＳ極となり、互いに違う極性となっている。そして、磁石収納ケ−スはそれぞれ対向して配置されているので、内部に収納される永久磁石の幅広面同士も対向し、該対向する磁石の一方の幅広面の磁極がＮ極の場合にはＳ極が、対向する磁石の一方の幅広面の磁極がＳ極の場合にはＮ極が配置されるように構成されている。そして、配管の流れに沿って３個直列に連結された磁石収納ケ−ス（４個型）６と磁石収納ケ−ス（２個型）７のうち、１列目と３列目の磁石収納ケ−ス（４個型）６と磁石収納ケ−ス（２個型）７に収納された永久磁石１１は、磁力の弱いフェライト磁石（約１６００ガウス）で形成され、２列目の磁石収納ケ−ス（４個型）６と磁石収納ケ−ス（２個型）７に収納された永久磁石１１は、磁力の強い希土類磁石（約４８００〜６４００ガウス）で形成され、水の流速が早い場合（毎秒２メ−トル以上）は磁力の弱い１列目と３列目の磁石の磁力線が作用して水分子を活性化させ、水の流速が遅い場合（毎秒２メ−トル未満）は磁力の強い２列目の磁石の磁力線が作用して水分子を活性化させることができ、流速如何に関わらずいつも安定して水の磁気化を図ることができる。
【００１４】
前記分水器９は、入口側連結部３の水の進入口に固着されたもので、図８、図９に示すように、一枚目の分散板５０と２枚目の分散板５１から構成され、それぞれの分散板５０、５１には円孔５３が多数形成され、円孔５３は配管の流れに対して交錯して形成され、一枚目の分散板５０と２枚目の分散板５１の間には補強用の板５４が挟まれている。尚、収納部２の容積から収納部２内部品を差し引いた実質容量は、同一長さの水道配置容量より通常大きくなるように設定されている。
【００１５】
次に、本発明の一実施例に係る水の磁気化装置の作用について説明する。永久磁石１１は配管の流れに対し、幅広面同士を対向させて配置しているので、収納部内の水の流れを阻害せずに、水のスム−ズな流れを確保することができ、対向磁石間の距離Ｔは８ｍｍに形成され、隣接する磁石間の距離Ｈは１８ｍｍに設置されているので、対向磁石間の距離Ｔが隣接する磁石間の距離Ｈより近くなり、永久磁石１１から発せられた磁気は隣接する磁石の磁気に妨害されずに、対向する磁石に流れ、流水を直角に横切るので、効果的に収納部内の水に磁気を照射することができる。また、分水器９を設けていることにより、収納部２内に入ってきた水は、入口で分水器と直角に衝突し、分散されて角型の収納部２内全体に広がり、淀みなく水を磁気化することができる。また、分水器９の２枚の分散板５０、５１は、配管の流れに対し円孔が交錯して設けられているので、一枚目の分散板５０に衝突した水はさらに２枚目の分散板５１によって分散され、収納部２内全体に均一に水が分散される。そして一枚目の分散板５０と２枚目の分散板５１の間には補強用の板５４が挟み込まれているので、大きな水圧がかかることがあっても、分散板５０、５１が凹んだりすることはない。
【００１６】
そして、磁石収納ケ−スに固定された隣接磁石の幅広面同士の極性を違う極性としているので、磁石から発射された磁力線は、隣接する磁石の磁力線と反発することなく、一部の磁力線は隣接する磁石とも影響し合い、磁力線を無駄にすることなく、収納部内の水に有効に磁力線を照射することができる。
【００１７】
磁石収納ケ−スには磁石収納ケ−ス（４個型）６と磁石収納ケ−ス（２個型）７があるので、収納部２の容積が小さい場合には磁石収納ケ−ス（２個型）７を使用することにより設置が可能であり、収納部の大きさにより磁石収納ケ−ス（４個型）６と磁石収納ケ−ス（２個型）７を任意に組み合わせて適切な大きさの水の磁気化装置を設置することができる。
【００１８】
また、収納部２の容積から収納部２内部品を差し引いた実質容量は、同一長さの水道配管容量より通常大きくなるように設置されているので、水の磁気化装置１を通過する水は収納部２によって抵抗を受けることなく、スム−ズに通過でき、効率よく水に磁気を作用させることができる。
【００１９】
また、配管の流れに沿って３個直列に連結された磁石収納ケ−ス（４個型）６と磁石収納ケ−ス（２個型）７のうち、１列目と３列目の磁石収納ケ−ス（４個型）６と磁石収納ケ−ス（２個型）７に収納された永久磁石１１は磁力の弱いフェライト磁石で形成すると共に、２列目の磁石収納ケ−ス（４個型）６と磁石収納ケ−ス（２個型）７に収納された永久磁石１１は磁力の強い希土類磁石で形成しているので、水の流速が早い場合（毎秒２メ−トル以上）は磁力の弱い１列目と３列目の磁石の磁力線が作用して水分子を活性化させ、水の流速が遅い場合（毎秒２メ−トル未満）は磁力の強い２列目の磁石の磁力線が作用して水分子を活性化させることができ、流速如何に関わらずいつも効率よく水の磁気化を図ることができる。
【００２０】
以上、本発明の実施形態を説明してきたが、本発明の具体的な構成は本実施形態に限定されるものではなく、発明の要旨を逸脱しない範囲の設計変更等があっても本発明に含まれる。例えば、前記実施形態では、配管の流れに沿って３個直列に連結された磁石収納ケ−ス（４個型）６と磁石収納ケ−ス（２個型）７のうち、１列目と３列目の磁石収納ケ−ス（４個型）６と磁石収納ケ−ス（２個型）７に収納された永久磁石１１を磁力の弱いフェライト磁石で形成すると共に、２列目の磁石収納ケ−ス（４個型）６と磁石収納ケ−ス（２個型）７に収納された永久磁石１１を磁力の強い希土類磁石で形成しているが、その逆にしたり、１列目又は３列目のみを変えてもよい。また、磁石収納ケ−ス（４個型）６と磁石収納ケ−ス（２個型）７のうち、一方を磁力の弱いフェライト磁石で形成し、他方を磁力の強い希土類磁石で形成してもよいし、磁石収納ケ−ス（４個型）６又は磁石収納ケ−ス（２個型）７に収納する永久磁石の一部を、磁力の弱いフェライト磁石又は磁力の強い希土類磁石で形成してもよい。また、前記実施形態では、対向磁石間の距離Ｔは８ｍｍ、隣接する磁石間の距離Ｈは１８ｍｍに設置されているが、磁力が強い磁石は対向磁石間の距離Ｔを８ｍｍより広く取ると共に、隣接する磁石間の距離Ｈもそれに合わせて１８ｍｍより広くとることにより、磁石の設置個数を少なくすることができて、コスト削減を図ることができる。この場合も対向磁石間の距離は隣接する磁石間の距離よりも小さくなるようにする。また、磁石収納ケ−スの連結個数は収納部の大きさによって任意に設定することができる。また、本実施形態例では、永久磁石の幅広面の磁極は４個の永久磁石のうち縦、横同士の磁極は違う磁極となっており、斜めに位置する永久磁石同士が同じ極性となっているが、配管内の水質、流速等に応じて永久磁石の極性の配置順序を代えることは可能である。そして、水の磁気化装置の材質としてはステンレスを使用したが、この他セラミック、合成樹脂等も使用することができる。また、図１０に示すように、収納部の大きさにより磁石収納ケ−ス（４個型）６を並列に組み合わせて設定することも可能であり、磁気発生部８の大きさは任意に設定することができる。
【００２１】
【発明の効果】
以上、説明してきたように本発明の水の磁気化装置にあっては、収納部内に配管の流れ方向に沿って磁石を対向して配置しているので、収納部内の水の流れを妨げることなく、収納部内を流れる水に磁気を直角に効率よく照射することができる。また、分水器を設置しているので、水は収納部内に淀みなく広がり、水を均一に磁気化することができる等の効果が得られる。また、前記磁石の一部を他の磁石の磁力より強くすることにより、水に異なる強さの磁力線を照射するようにしているので、水の流速が早い場合は磁力の弱い磁力線が作用して水分子を活性化させ、水の流速が遅い場合は磁力の強い磁力線が作用して水分子を活性化させることができ、水の流速如何に関わらずいつも効率よく磁力線を作用させて水の磁気化を図ることができる。
又、磁石は対向磁石間の距離が隣接磁石間の距離よりも短くなるように設置されているので、多数の磁石を規則的に収納できると共に、磁気は隣接して配置された磁石の磁気に妨げられることなく、対向する磁石間を流れ、効率的に収納部内の水を磁気化することができるという効果が得られる。
【図面の簡単な説明】
【図１】本発明の一実施例に係る水の磁気化装置の斜視図である。
【図２】同磁気発生部の斜視図である。
【図３】同磁気発生部の部分断面図である。
【図４】同磁石収納ケ−ス（４個型）の分解図である。
【図５】同磁石収納ケ−ス（２個型）の分解図である。
【図６】同磁石収納ケ−ス（４個型）の永久磁石の配置状態を示す説明図である。
【図７】同磁石収納ケ−ス（２個型）の永久磁石の配置状態を示す説明図である。
【図８】同分水器の正面図である。
【図９】同分水器の斜視図である。
【図１０】本発明の他の実施例に係る磁気発生部の斜視図である。
【符号の説明】
１ 水の磁気化装置
２ 収納部
３ 入口側連結部
４ 出口連結部
６ 磁石収納ケ−ス（４個型）
７ 磁石収納ケ−ス（２個型）
８ 磁気発生部
９ 分水器
１１ 永久磁石
１２ 雄部
１３ 雌部
１４ ねじ軸
１６ 連結金具
１７ スペ−サ
１８ ナット
１９ 孔
２１ 孔
２２ 磁石固定外枠
２３ 間仕切りフレ−ム
２４ 蓋
２６ ビス
２７ 立縁部
２８ ビス螺合孔
２９ 突出部
３５ 磁石固定外枠
３６ 間仕切りフレ−ム
３７ 蓋
３８ ビス
４１ ビス螺合孔
４２ 突出部
４３ 突出部
４６ 孔
４７ 孔
５０ 分散板
５１ 分散板
５３ 円孔
Ｔ 距離
Ｈ 距離
【図１】
0003946871.tif 000002
【図２】
0003946871.tif 000003
【図３】
0003946871.tif 000004
【図４】
0003946871.tif 000005
【図５】
0003946871.tif 000006
【図６】
0003946871.tif 000007
【図７】
0003946871.tif 000008
【図８】
0003946871.tif 000009
【図９】
0003946871.tif 000010
【図１０】
0003946871.tif 000011